(57)【要約】【課題】  仕上げに折りが指定されている場合、ユーザーがページ割付を特に意識することなく、ユーザーにより指定された表紙情報を折り後の最前面に印刷させる。【解決手段】  ドライバープログラムは、演算処理装置を、仕上げで折りが指定されている場合、原稿データにおいて、表紙情報があるページを特定し、折りの種別に基づいて、１または複数の印刷用紙内の複数の印字領域のうち、折りの後に最も前面に配置される印字領域を特定し、表紙情報があるページを、特定した印字領域にページ割付するレイアウト処理部７２、およびレイアウト処理部により設定されたページ割付で印刷データを生成するＰＤＬ生成部７３として機能させる。【選択図】  図４
2012108742.tif 000002
【特許請求の範囲】
【請求項１】
コンピューターを、
仕上げで折りが指定されている場合、原稿データにおいて表紙情報があるページを特定し、前記折りの種別に基づいて、１または複数の印刷用紙内の複数の印字領域のうち、前記折りの後に最も前面に配置される印字領域を特定し、前記表紙情報があるページを、特定した前記印字領域にページ割付するレイアウト処理部、および
前記レイアウト処理部により設定されたページ割付で印刷データを生成する印刷データ生成部、
として機能させるためのドライバープログラム。
【請求項２】
前記レイアウト処理部は、両面印刷が指定されている場合、前記折りの種別に基づいて、おもて面および裏面のいずれにおいて、前記表紙情報があるページをページ割付するかを決定することを特徴とする請求項１記載のドライバープログラム。
【請求項３】
前記表紙情報があるページが割付られる前記印字領域は、集約印刷における印刷用紙の１ページ内に割り付けられる複数の印字領域のうちの１つであることを特徴とする請求項１記載のドライバープログラム。
【請求項４】
前記折りの種別がＮ折り（Ｎ＞１）である場合、前記表紙情報があるページが割付られる前記印字領域は、Ｎアップの集約印刷における印刷用紙の１ページ内に割り付けられる複数の印字領域のうちの１つであることを特徴とする請求項３記載のドライバープログラム。
【請求項５】
前記折りの種別は、二つ折り、内三つ折り、および外三つ折りのいずれかであることを特徴とする請求項１から請求項４のうちのいずれか１項記載のドライバープログラム。
【請求項６】
前記表紙情報は、宛名であることを特徴とする請求項１から請求項５のうちのいずれか１項記載のドライバープログラム。
【発明の詳細な説明】
【技術分野】
【０００１】
本発明は、ドライバープログラムに関するものである。
【背景技術】
【０００２】
プリンター、複合機などといった画像形成装置には、印刷後の印刷用紙に対して、二つ折りなどの仕上げ（後処理）を行うものがある（例えば、特許文献１，２参照）。
【０００３】
さらに、そのような画像形成装置には、仕上げに折りが指定されている場合に、原稿データの複数のページを、様々なページ割付で集約印刷するものがある（例えば特許文献２参照）。
【先行技術文献】
【特許文献】
【０００４】
【特許文献１】特開平０３−１８４０６３号公報
【特許文献２】特開２０１０−２０６９１号公報
【発明の概要】
【発明が解決しようとする課題】
【０００５】
仕上げに折りが指定されている場合、ユーザーは、宛名などの表紙情報を、折り後の最前面（つまり、表紙として見られる面）に印刷させたいときには、ページ割付の種別などを考慮して、表紙情報を原稿データ内に配置しておくことになり、多くの手間が必要となる。特に、両面印刷の場合には、折りの種別に応じてページ割付が変わるので、ユーザーが、正確にページ割付を指定するのは難しい。
【０００６】
特許文献２に記載の技術では、両面印刷時に内側優先および外側優先から選択されたものに応じて自動的にページ割付が設定されるが、特定の内容（表紙情報）を、常に、折り後の最前面に印刷することは困難である。
【０００７】
本発明は、上記の問題に鑑みてなされたものであり、仕上げに折りが指定されている場合に、ユーザーがページ割付を特に意識することなく、ユーザーにより指定された表紙情報を折り後の最前面に印刷させることができるドライバープログラムを得ることを目的とする。
【課題を解決するための手段】
【０００８】
上記の課題を解決するために、本発明では以下のようにした。
【０００９】
本発明に係るドライバープログラムは、コンピューターを、仕上げで折りが指定されている場合、原稿データにおいて、表紙情報があるページを特定し、折りの種別に基づいて、１または複数の印刷用紙内の複数の印字領域のうち、折りの後に最も前面に配置される印字領域を特定し、表紙情報があるページを、特定した印字領域にページ割付するレイアウト処理部、およびレイアウト処理部により設定されたページ割付で印刷データを生成する印刷データ生成部として機能させる。
【００１０】
これにより、仕上げに折りが指定されている場合、ユーザーがページ割付を特に意識することなく、ユーザーにより指定された表紙情報を折り後の最前面に印刷させることができる。したがって、ユーザーによる印刷設定の手間を減らすことができるとともに、所望の位置に表紙情報が印刷されないといった印刷ミスを減らすことができる。
【００１１】
また、本発明に係るドライバープログラムは、上記のドライバープログラムに加え、次のようにしてもよい。この場合、レイアウト処理部は、両面印刷が指定されている場合、折りの種別に基づいて、おもて面および裏面のいずれにおいて、表紙情報があるページをページ割付するかを決定する。
【００１２】
また、本発明に係るドライバープログラムは、上記のドライバープログラムのいずれかに加え、次のようにしてもよい。この場合、表紙情報があるページが割付られる印字領域は、集約印刷における印刷用紙の１ページ内に割り付けられる複数の印字領域のうちの１つである。
【００１３】
また、本発明に係るドライバープログラムは、上記のドライバープログラムのいずれかに加え、次のようにしてもよい。この場合、折りの種別がＮ折りである場合、表紙情報があるページが割付られる印字領域は、Ｎアップの集約印刷における印刷用紙の１ページ内に割り付けられる複数の印字領域のうちの１つである。
【００１４】
また、本発明に係るドライバープログラムは、上記のドライバープログラムのいずれかに加え、次のようにしてもよい。この場合、折りの種別は、二つ折り、内三つ折り、および外三つ折りのいずれかである。
【００１５】
また、本発明に係るドライバープログラムは、上記のドライバープログラムのいずれかに加え、次のようにしてもよい。この場合、表紙情報は、宛名である。
【００１６】
これにより、窓付き封筒に入れる書類に宛名を印刷する場合に、ユーザーによる印刷設定の手間を減らすことができる。
【発明の効果】
【００１７】
本発明によれば、仕上げに折りが指定されている場合、ユーザーがページ割付を特に意識することなく、ユーザーにより指定された表紙情報を折り後の最前面に印刷させることができる。
【図面の簡単な説明】
【００１８】
【図１】図１は、本発明の実施の形態に係るドライバープログラムをインストールされた端末装置を含む画像形成システムを示すブロック図である。
【図２】図２は、図１における画像形成装置の構成を示すブロック図である。
【図３】図３は、図１における端末装置の構成を示すブロック図である。
【図４】図４は、実施の形態１におけるドライバーの構成を示すブロック図である。
【図５】図５は、図１における端末装置においてドライバーにより表示される印刷設定画面の一例を示す図である。
【図６】図６は、折りの種別を説明する図である。
【図７】図７は、外側優先の内三つ折りの場合の、印刷用紙のおもて面における印字領域と、裏面における印字領域と、折り後に最前面に配置される印字領域とを示す図である。
【図８】図８は、内側優先の内三つ折りの場合の、印刷用紙のおもて面における印字領域と、裏面における印字領域と、折り後に最前面に配置される印字領域とを示す図である。
【図９】図９は、図７および図８に示す場合のページ割付の一例を示す図である。
【図１０】図１０は、外側優先の内三つ折りの場合であって、表紙情報が印刷されるページにおいて、ページ全体の３分の１の印字領域と３分の２の印字領域の２つの印字領域を設定する場合の、印刷用紙のおもて面における印字領域と、裏面における印字領域と、折り後に最前面に配置される印字領域とを示す図である。
【図１１】図１１は、内側優先の内三つ折りの場合であって、表紙情報が印刷されるページにおいて、ページ全体の３分の１の印字領域と３分の２の印字領域の２つの印字領域を設定する場合の、印刷用紙のおもて面における印字領域と、裏面における印字領域と、折り後に最前面に配置される印字領域とを示す図である。
【図１２】図１２は、図１０および図１１に示す場合のページ割付の一例を示す図である。
【図１３】図１３は、内三つ折りの場合であって、第１枚の印刷用紙において、ページの先端側の３分の１が、折り後の最前面に配置される場合の印字領域を示す図である。
【図１４】図１４は、内三つ折りの場合であって、第１枚の印刷用紙において、ページの終端側の３分の１が、折り後の最前面に配置される場合の印字領域を示す図である。
【図１５】図１５は、図１３および図１４に示す場合のページ割付の一例を示す図である。
【発明を実施するための形態】
【００１９】
以下、図に基づいて本発明の実施の形態を説明する。
【００２０】
図１は、本発明の実施の形態に係るドライバープログラムをインストールされた端末装置を含む画像形成システムを示すブロック図である。
【００２１】
図１に示すシステムにおいては、画像形成装置１が、ネットワーク２に接続され、そのネットワーク２に端末装置３が接続されている。画像形成装置１は、複合機であるが、プリンターなどの印刷機能を有する他の装置でもよい。端末装置３は、ＵＳＢ（Universal Serial Bus）などの周辺機器インターフェースを介して画像形成装置１に接続されていてもよい。
【００２２】
図２は、図１における画像形成装置１の構成を示すブロック図である。
【００２３】
画像形成装置１は、プリンター１１と、スキャナー１２と、ファクシミリ装置１３と、操作パネル１４と、通信装置１５と、演算処理装置１６とを備える。
【００２４】
プリンター１１は、印刷データに基づいて原稿画像を印刷する内部デバイスであって、フィニッシャー１１ａを有する。フィニッシャー１１ａは、印刷後の印刷用紙を、指定された種別で折る。スキャナー１２は、原稿から原稿画像を光学的に読み取り、原稿画像の画像データを生成する内部デバイスである。ファクシミリ装置１３は、送信すべき原稿画像の画像データからファクシミリ信号を生成し送信するとともに、ファクシミリ信号を受信し画像データに変換する内部デバイスである。
【００２５】
また、操作パネル１４は、画像形成装置１の筐体表面に配置され、ユーザーに対して各種情報を表示する表示装置と、ユーザー操作を検出する入力装置とを有する。表示装置としては例えば液晶ディスプレイが使用される。入力装置としては、キースイッチ、タッチパネルなどが使用される。キースイッチはハードウェアキーであり、表示装置およびタッチパネルによりソフトウェアキーが実現される。このように、操作パネル１４は、画像形成装置１のユーザーインターフェースである。
【００２６】
また、通信装置１５は、ネットワーク２に接続され、ネットワーク２を介して他の装置（端末装置３など）と所定の通信プロトコルでデータ通信を行う装置である。通信装置１５としては、ネットワークインターフェース、モデムなどが使用される。
【００２７】
また、演算処理装置１６は、ＣＰＵ（Central Processing Unit）、ＲＯＭ（Read Only Memory）、ＲＡＭ（Random Access Memory）などを有するコンピューターであり、図示せぬ記憶装置、ＲＯＭなどからＲＡＭへプログラムをロードし、そのプログラムをＣＰＵで実行することにより、各種処理部を実現する。
【００２８】
画像形成装置１の起動後に、各種プログラムが演算処理装置１６により適宜実行される。この実施の形態では、演算処理装置１６により、図示せぬオペレーティングシステム、コントローラー３１、通信処理部３２、ジョブ制御部３３、サービス実行部３４などの処理部が実現される。
【００２９】
コントローラー３１は、プリンター１１、スキャナー１２、ファクシミリ装置１３、操作パネル１４などといった内部デバイスを監視および制御する処理部である。
【００３０】
通信処理部３２は、通信装置１５を制御してデータ通信を実行する処理部である。通信処理部３２は、端末装置３のドライバーと通信する。
【００３１】
ジョブ制御部３３は、サービス実行部３４により受け付けたジョブ要求に応じたジョブを実行する処理部である。ジョブ制御部３３は、コントローラー３１を使用して、ジョブ種別に応じた内部デバイス（プリンター１１など）を動作させる。
【００３２】
サービス実行部３４は、操作パネル１４に対するユーザー操作やネットワーク２を介して端末装置３から供給されるコマンドによるジョブ要求（印刷、コピー、ファクシミリ送信、システム設定変更など）を受け付け、その要求に応じたジョブを実行させる。印刷、コピー、ファクシミリ送信などのジョブについては、サービス実行部３４は、ジョブ制御部３３に実行させる。
【００３３】
図３は、図１における端末装置３の構成を示すブロック図である。端末装置３は、例えば、オペレーティングシステム、アプリケーションプログラムなどをインストールされたネットワーク通信機能を有するパーソナルコンピューターである。
【００３４】
端末装置３は、通信装置４１と、表示装置４２と、入力装置４３と、演算処理装置４４と、記憶装置４５とを備える。
【００３５】
通信装置４１は、ネットワーク２に接続され、ネットワーク２を介して他の装置（画像形成装置１など）と所定の通信プロトコルでデータ通信を行う装置である。通信装置４１としては、ネットワークインターフェース、モデムなどが使用される。
【００３６】
表示装置４２は、端末装置３のユーザーに対して各種画面を表示する、液晶ディスプレイなどといった装置である。入力装置４３は、ユーザーによるユーザー操作を検出する、キーボード、マウスなどといった装置である。
【００３７】
また、演算処理装置４４は、ＣＰＵ、ＲＯＭ、ＲＡＭなどを有するコンピューターであり、図示せぬ記憶装置、ＲＯＭなどからＲＡＭへプログラムをロードし、そのプログラムをＣＰＵで実行することにより、各種処理部を実現する。
【００３８】
端末装置３の起動後に、各種プログラムが演算処理装置４４により適宜実行される。この実施の形態では、演算処理装置４４により、図示せぬオペレーティングシステム、通信処理部６１、ドライバー６２、オペレーティングシステム６３、アプリケーション６４などの処理部が実現される。
【００３９】
通信処理部６１は、通信装置４１を制御してデータ通信を、所定の通信プロトコルで実行する。
【００４０】
ドライバー６２は、記憶装置４５内のドライバープログラム６２ａが演算処理装置４４において実行されることにより実現される処理部であって、画像形成装置１用のドライバーである。ドライバー６２は、アプリケーション６４で生成された原稿データから、ＰＤＬ（Page Description Language）データなどの印刷データを生成する。
【００４１】
図４は、実施の形態１におけるドライバー６２の構成を示すブロック図である。ドライバー６２は、描画命令解釈部７１と、レイアウト処理部７２と、ＰＤＬ生成部７３とを有する。
【００４２】
描画命令解釈部７１は、アプリケーション６４により生成された原稿データを解釈する。例えば、オペレーティングシステム６３がウィンドウズ（商標）である場合、アプリケーション６４により生成された原稿データは、オペレーティングシステム６３のＧＤＩ（Graphic Device Interface）により描画命令に変換され、その描画命令としてドライバー６２に供給される。
【００４３】
レイアウト処理部７２は、その描画命令に基づいて印刷画像内のオブジェクトのレイアウトを設定する。
【００４４】
また、レイアウト処理部７２は、仕上げで折りが指定されている場合、原稿データにおいて表紙情報があるページを特定し、折りの種別に基づいて、１または複数の印刷用紙内の複数の印字領域のうち、折りの後に最も前面に配置される印字領域を特定し、表紙情報があるページを、特定した印字領域にページ割付する。さらに、レイアウト処理部７２は、両面印刷が指定されている場合、折りの種別に基づいて、おもて面および裏面のいずれにおいて、表紙情報があるページをページ割付するかを決定する。
【００４５】
「表紙情報があるページ」については、原稿データにおける所定のページ（例えば先頭ページや最終ページ）を「表紙情報があるページ」として予め規定しておいてもよいし、表紙情報を示す所定のタグが存在するページを「表紙情報があるページ」として検出するようにしてもよい。
【００４６】
また、表紙情報があるページが割付られる印字領域は、集約印刷における印刷用紙の１ページ内に割り付けられる複数の印字領域のうちの１つである。折りの種別がＮ折り（Ｎ＞１）である場合、表紙情報があるページが割付られる印字領域は、Ｎアップの集約印刷における印刷用紙の１ページ内に割り付けられる複数の印字領域のうちの１つである。なお、二つ折りの場合、Ｎ＝２であり、三つ折り（内三つ折りおよび外三つ折）の場合、Ｎ＝３である。
【００４７】
また、表紙情報は、例えば、窓付き封筒に入れる書類に宛名（住所、氏名など）を印刷する場合の宛名である。
【００４８】
ＰＤＬ生成部７３は、レイアウト処理部７２により設定されたページ割付で印刷データ（ここでは、ＰＤＬデータ）を生成する。
【００４９】
なお、アプリケーション６４は、オペレーティングシステム６３上でアプリケーションプログラムが実行されることにより実現される。アプリケーション６４は、例えば、ワードプロセッサーソフトウェア、表計算ソフトウェアなどのオフィスアプリケーションである。
【００５０】
なお、記憶装置４５は、ハードディスクドライブ、フラッシュメモリーなどの不揮発性の記憶装置である。また、記憶装置４５は、ドライバープログラム６２ａが記憶されたＣＤ−ＲＯＭなどの可搬性のある記録媒体と、その記録媒体からドライバープログラム６２ａを読み出すことが可能な駆動装置とで構成されていてもよい。
【００５１】
次に、上記システムにおける各装置（特に端末装置３のドライバー６２の動作について説明する。
【００５２】
端末装置３において、入力装置４３に対するユーザー操作などに従ってドライバープログラム６２ａが演算処理装置４４により実行される。例えば、アプリケーション６４において、ユーザーがメニューから「印刷」を選択する操作を行うと、ドライバープログラム６２ａが実行される。これにより、ドライバー６２が起動する。
【００５３】
ドライバー６２のレイアウト処理部７２は、印刷設定画面を表示装置４２に表示させる。その印刷設定画面は、フィニッシャー１１ａを使用する仕上げ（後処理）のうち、折りの設定項目と、表紙指定印刷の設定項目とを有する。図５は、図１における端末装置３においてドライバー６２により表示される印刷設定画面の一例を示す図である。
【００５４】
図５に示す印刷設定画面には、折りの設定項目として、二つ折り、内三つ折り（外側優先と内側優先）、および外三つ折り（外側優先と内側優先）を選択するためのチェックボックスがあり、また、表紙指定印刷を指定するためのチェックボックスがある。「表紙指定印刷」は、仕上げで折りが指定されている場合、原稿データにおいて表紙情報があるページを、折りの後に最も前面に配置される印字領域に割り付ける印刷モードである。「表紙指定印刷」が指定されていない場合には、デフォルトのページ割付が実行される（つまり、表紙情報があるページも他のページと同様に割り付けられる）。図６は、折りの種別を説明する図である。図６（Ａ）は二つ折りを示しており、図６（Ｂ）は内三つ折りを示しており、図６（Ｃ）は外三つ折り（いわゆるＺ折り）を示している。なお、外側優先では、折り後の外側の面が先に印刷され、内側優先では、折り後の内側の面が先に印刷される。
【００５５】
例えば図５に示すように折りおよび「表紙指定印刷」が指定されると、レイアウト処理部７２は、レイアウト処理部７２は、アプリケーション６４から供給される原稿データにおいて表紙情報があるページを特定し、指定された折りの種別に基づいて、１または複数の印刷用紙内の複数の印字領域のうち、折りの後に最も前面に配置される印字領域を特定し、表紙情報があるページを、特定した印字領域にページ割付する。なお、原稿データ内のその他のページについては、残りの印字領域に、印刷設定に従って順番に割り付けられる。各印字領域に割り付けられたページは、例えば縦横比を維持したまま、印字領域のサイズに合わせて拡大または縮小される。
【００５６】
このとき、レイアウト処理部７２は、両面印刷が指定されている場合、折りの種別に基づいて、おもて面および裏面のいずれにおいて、表紙情報があるページをページ割付するかを決定する。
【００５７】
図７は、外側優先の内三つ折りの場合の、印刷用紙のおもて面における印字領域と、裏面における印字領域と、折り後に最前面に配置される印字領域とを示す図である。図８は、内側優先の内三つ折りの場合の、印刷用紙のおもて面における印字領域と、裏面における印字領域と、折り後に最前面に配置される印字領域とを示す図である。
【００５８】
画像形成装置１では、印刷用紙のおもて面が先に印刷され、裏面がその後に印刷される。このため、外側優先と内側優先とでは、折り後に最前面に配置される印字領域が異なる。したがって、レイアウト処理部７２は、指定された折り種別に基づいて、折り後に最前面に配置される印字領域を特定する。図７および図８に示す場合では、レイアウト処理部７２は、三つ折りであるので、３アップの集約印刷で、印刷用紙の１ページに３つの印字領域を設定する。印刷用紙の向きがランドスケープである場合、このときの印字領域は、横方向においてページ全体を三等分したものとされ、印刷用紙の向きがポートレートである場合、このときの印字領域は、縦方向においてページ全体を三等分したものとされる。
【００５９】
図９は、図７および図８に示す場合のページ割付の一例を示す図である。図９（Ａ）は、図７に示す場合（外側優先の内三つ折り）のページ割付の一例を示す図である。図９（Ｂ）は、図８に示す場合（内側優先の内三つ折り）のページ割付の一例を示す図である。図９に示すように、同一の原稿データであっても、折りの種別に応じて、表紙情報があるページが、異なる印刷領域（図７の場合には印刷領域＃１、図８の場合には印刷領域＃４）に割付られる。
【００６０】
なお、この場合において、レイアウト処理部７２は、表紙情報が印刷されるページにおいて、ページ全体の３分の１の印字領域と３分の２の印字領域の２つの印字領域を設定するようにしてもよい。
【００６１】
図１０は、外側優先の内三つ折りの場合であって、表紙情報が印刷されるページにおいて、ページ全体の３分の１の印字領域と３分の２の印字領域の２つの印字領域を設定する場合の、印刷用紙のおもて面における印字領域と、裏面における印字領域と、折り後に最前面に配置される印字領域とを示す図である。図１１は、内側優先の内三つ折りの場合であって、表紙情報が印刷されるページにおいて、ページ全体の３分の１の印字領域と３分の２の印字領域の２つの印字領域を設定する場合の、印刷用紙のおもて面における印字領域と、裏面における印字領域と、折り後に最前面に配置される印字領域とを示す図である。
【００６２】
図１２は、図１０および図１１に示す場合のページ割付の一例を示す図である。図１２（Ａ）は、図１０に示す場合（外側優先の内三つ折り）のページ割付の一例を示す図である。図１２（Ｂ）は、図１１に示す場合（内側優先の内三つ折り）のページ割付の一例を示す図である。図１２に示すように、同一の原稿データであっても、折りの種別に応じて、表紙情報があるページが、異なる印刷領域（図１０の場合には印刷領域＃１、図１１の場合には印刷領域＃４）に割付られる。
【００６３】
また、複数ページを片面印刷し内三つ折りする場合に、レイアウト処理部７２は、表紙情報が印刷されるページにおいて、ページ全体の３分の１の印字領域と３分の２の印字領域の２つの印字領域を設定し、後続のページには、１ページにつき１つの印字領域を設定するようにしてもよい。これにより、印刷後、第１枚をカバーページとして使用できる。なお、ここでは、第１枚についてページ全体の３分の１の印字領域と３分の２の印字領域の２つの印字領域を設定しているが、上述のように、ページ全体を三等分して３つの印字領域を設定するようにしてもよい。
【００６４】
図１３は、内三つ折りの場合であって、第１枚の印刷用紙において、ページの先端側の３分の１が、折り後の最前面に配置される場合の印字領域を示す図である。図１４は、内三つ折りの場合であって、第１枚の印刷用紙において、ページの終端側の３分の１が、折り後の最前面に配置される場合の印字領域を示す図である。
【００６５】
図１５は、図１３および図１４に示す場合のページ割付の一例を示す図である。図１５（Ａ）は、図１３に示す場合のページ割付の一例を示す図である。図１５（Ｂ）は、図１４に示す場合のページ割付の一例を示す図である。
【００６６】
図１３に示すレイアウトでは、第１枚の先端側に、ページ全体の３分の１の印字領域＃１が配置され、第１枚の終端側に、３分の２の印字領域の２つの印字領域＃２が配置されている。そして、図１５（Ａ）に示すように、この印字領域＃１に、表紙情報のページが割り付けられる。
【００６７】
一方、図１４に示すレイアウトでは、第１枚の先端側に、ページ全体の３分の２の印字領域＃１が配置され、第１枚の終端側に、３分の２の印字領域の２つの印字領域＃２が配置されている。そして、図１５（Ｂ）に示すように、この印字領域＃２に、表紙情報のページが割り付けられる。
【００６８】
このようにして、レイアウト処理部７２が、ページ割付を決定した後に、ＰＤＬ生成部７３は、そのページ割付で印刷データを生成し、通信処理部６１および通信装置４１を使用して画像形成装置１へ送信する。
【００６９】
画像形成装置１では、通信処理部３２が、通信装置１５を使用してその印刷データを受信すると、サービス実行部３４が、その印刷データを、印刷ジョブの実行要求として受け付け、その印刷ジョブをジョブ制御部３３に実行させる。ジョブ制御部３３は、コントローラー３１を使用して、その印刷データに従って、プリンター１１に印刷および後処理（折り）を実行させる。
【００７０】
以上のように、上記実施の形態によれば、ドライバープログラム６２ａは、演算処理装置４４を、仕上げで折りが指定されている場合、原稿データにおいて表紙情報があるページを特定し、折りの種別に基づいて、１または複数の印刷用紙内の複数の印字領域のうち、折りの後に最も前面に配置される印字領域を特定し、表紙情報があるページを、特定した印字領域にページ割付するレイアウト処理部７２、およびレイアウト処理部により設定されたページ割付で印刷データを生成するＰＤＬ生成部７３として機能させる。
【００７１】
これにより、仕上げに折りが指定されている場合、ユーザーがページ割付を特に意識することなく、ユーザーにより指定された表紙情報を折り後の最前面に印刷させることができる。したがって、ユーザーによる印刷設定の手間を減らすことができるとともに、所望の位置に表紙情報が印刷されないといった印刷ミスを減らすことができる。
【００７２】
なお、上述の実施の形態は、本発明の好適な例であるが、本発明は、これらに限定されるものではなく、本発明の要旨を逸脱しない範囲において、種々の変形、変更が可能である。
【産業上の利用可能性】
【００７３】
本発明は、例えば、プリンター、複合機などの画像形成装置のドライバープログラムに適用可能である。
【符号の説明】
【００７４】
４４  演算処理装置（コンピューターの一例）
６２ａ  ドライバープログラム
７２  レイアウト処理部
７３  印刷データ生成部
【図１】
2012108742.tif 000003
【図２】
2012108742.tif 000004
【図３】
2012108742.tif 000005
【図４】
2012108742.tif 000006
【図５】
2012108742.tif 000007
【図６】
2012108742.tif 000008
【図７】
2012108742.tif 000009
【図８】
2012108742.tif 000010
【図９】
2012108742.tif 000011
【図１０】
2012108742.tif 000012
【図１１】
2012108742.tif 000013
【図１２】
2012108742.tif 000014
【図１３】
2012108742.tif 000015
【図１４】
2012108742.tif 000016
【図１５】
2012108742.tif 000017